(57)【特許請求の範囲】
【請求項１】
無線端末装置として機能する撮像装置であって、
撮像手段と、
ファインダ表示部への接眼を検出するファインダ接眼検出手段と、
前記ファインダ接眼検出手段の検出の結果に応じて、無線通信によるデータ転送を制御する制御手段とを備え、
前記制御手段は、前記撮像手段で撮影した画像データを無線通信によりデータ転送しているときに、前記ファインダ接眼検出手段で接眼を検出し、かつ、撮影動作を行わせる操作が行われた場合、データ転送を停止することを特徴とする撮像装置。
【請求項２】
前記ファインダ表示部から目を離さないとデータ転送できない旨を報知する報知手段を備えたことを特徴とする請求項１に記載の撮像装置。
【請求項３】
前記撮像手段で撮影した画像データを無線通信によりデータ転送しているときに、前記ファインダ接眼検出手段で接眼を検出し、かつ、撮影動作を行わせる操作が行われなかった場合、データ転送中であるためファインダ表示できない旨を報知する報知手段を備えたことを特徴とする請求項１又は２に記載の撮像装置。
【請求項４】
無線通信によるデータ転送が終了したときに、撮影者に動作モードを選択させる選択手段を備えたことを特徴とする請求項１乃至３のいずれか１項に記載の撮像装置。
【請求項５】
無線通信によるデータ転送の開始に先立って、データ転送の対象となるデータを表示部に表示して、削除できるようにしたことを特徴とする請求項１乃至４のいずれか１項に記載の撮像装置。
【請求項６】
無線端末装置として機能する撮像装置の制御方法であって、
前記撮像装置のファインダ表示部への接眼を検出するファインダ接眼検出手段の検出の結果に応じて、無線通信によるデータ転送を制御するステップを有し、
前記無線通信によるデータ転送を制御するステップでは、前記撮像装置の撮像手段で撮影した画像データを無線通信によりデータ転送しているときに、前記ファインダ接眼検出手段で接眼を検出し、かつ、撮影動作を行わせる操作が行われた場合、データ転送を停止することを特徴とする撮像装置の制御方法。
【請求項７】
無線端末装置として機能する撮像装置を制御するためのプログラムであって、
前記撮像装置のファインダ表示部への接眼を検出するファインダ接眼検出手段の検出の結果に応じて、無線通信によるデータ転送を制御する処理をコンピュータに実行させ、
前記無線通信によるデータ転送を制御する処理では、前記撮像装置の撮像手段で撮影した画像データを無線通信によりデータ転送しているときに、前記ファインダ接眼検出手段で接眼を検出し、かつ、撮影動作を行わせる操作が行われた場合、データ転送を停止することを特徴とするプログラム。
【発明の詳細な説明】
【技術分野】
【０００１】
本発明は、無線端末装置として機能する撮像装置、その制御方法及びプログラムに関する。
【背景技術】
【０００２】
デジタルカメラ等の撮像装置では、画像等の各種データを他の装置と共有するために、ＩｒＤＡ（登録商標）、ＷｉＦｉ（登録商標）等の無線機能を備えていることが多い。これにより、ＰＣ（パーソナルコンピュータ）を介さずに装置同士で直接各種データの送受信が可能となっている。
また、無線端末装置同士のデータ共有だけではなく、様々なインターネットサイトに、各種データをＰＣレスでアップロードできるような無線端末装置もある。
【０００３】
このような無線端末装置において、無線通信中の無線端末装置の操作タイミング制御や、各種データの転送タイミング制御等、ユーザの利便性を向上させるための発明が提案されている。
特許文献１では、接眼検知機能を禁止している遠隔操作モード中に、ＳＷ１が押下されたら接眼検知禁止を解除し、接眼検知結果に応じた機能を付加した撮影を実行できるカメラが開示されている。
また、特許文献２では、モバイル機器の携帯性を活かしつつ、多くのネットワークに容易に接続可能で、ユーザの意図しないオブジェクトアクセスを禁止又は制限できる画像再生装置が開示されている。
【先行技術文献】
【特許文献】
【０００４】
【特許文献１】特開２００９‐８８８８７号公報
【特許文献２】特許第４４７８５０５号公報
【発明の概要】
【発明が解決しようとする課題】
【０００５】
あらかじめ各種データの転送対象となる無線端末装置と無線接続を確立しておき、撮影後に、撮影状態を継続しながら、撮影した画像データを転送対象となる無線端末装置に転送するような撮像装置がある。
このような撮像装置に備えられているファインダは、従来と比較して高精細になり、それに伴い、撮影した画像データをファインダを使用して表示する際の消費電力が増加する傾向がある。
このため、従来技術で、各種データを無線転送中にファインダを使用すると、撮像装置内の電力供給量が不足し、撮像装置の他の動作に影響を及ぼすことがあった。
【０００６】
本発明は上記のような点に鑑みてなされたものであり、ファインダを備えた撮像装置において、安定した電力供給量を確保し、撮像装置の他の動作への影響を低減できるようにすることを目的とする。
【課題を解決するための手段】
【０００７】
本発明の撮像装置は、無線端末装置として機能する撮像装置であって、撮像手段と、ファインダ表示部への接眼を検出するファインダ接眼検出手段と、前記ファインダ接眼検出手段の検出の結果に応じて、無線通信によるデータ転送を制御する制御手段とを備え、前記制御手段は、前記撮像手段で撮影した画像データを無線通信によりデータ転送しているときに、前記ファインダ接眼検出手段で接眼を検出し、かつ、撮影動作を行わせる操作が行われた場合、データ転送を停止することを特徴とする。
【発明の効果】
【０００８】
本発明によれば、ファインダを備えた撮像装置において、安定した電力供給量を確保し、撮像装置の他の動作への影響を低減することができる。
【図面の簡単な説明】
【０００９】
【図１】第１の実施形態に係る撮像装置の構成を示すブロック図である。
【図２】第１の実施形態に係る撮像装置の動作を示すフローチャートである。
【図３】第１の実施形態における無線データ転送の形態を説明するための図である。
【図４】ステップＳ２０５の報知の例を説明するための図である。
【図５】第２の実施形態に係る撮像装置の動作を示すフローチャートである。
【図６】ステップＳ５０２の報知の例を説明するための図である。
【図７】第３の実施形態に係る撮像装置の動作を示すフローチャートである。
【図８】動作モード選択画面の例を示す図である。
【図９】第４の実施形態に係る撮像装置の動作を示すフローチャートである。
【図１０】データ転送前の削除画面の例を示す図である。
【発明を実施するための形態】
【００１０】
以下、添付図面を参照して、本発明の好適な実施形態について説明する。
（第１の実施形態）
図１に、第１の実施形態に係る無線端末装置として機能する撮像装置１００の構成を示す。
１は光学ユニットであり、ズームレンズ、フォーカスレンズ及び絞り、並びにそれらを駆動するドライバ回路を備えたモータ及びアクチュエータで構成される。
２は撮像素子であり、被写体を示す画像光を受光面に結像して光電変換する。
３は撮像ドライバであり、撮像素子２で光電変換された画素毎の電荷を転送するための撮像信号を出力する。
４はアンプであり、撮像素子２から出力された撮像信号を相関二重サンプリング処理によってノイズ除去を行った後に増幅する。
５はＡ／Ｄコンバータであり、アンプ４から出力された撮像信号をデジタル変換して画像データを生成する。
【００１１】
６は画像データ処理回路であり、Ａ／Ｄコンバータ５から出力された画像データに対して、マトリックス演算処理、ホワイトバランス調節、ガンマ処理等の各種画像処理を施す。
７はフレームメモリであり、画像データ処理回路６で処理された画像データを一時的に記憶する。
８は圧縮伸張処理回路であり、画像データの圧縮或いは伸張を行う。
９はメモリカードであり、画像ファイルを記録する。
１０はリードライト回路であり、メモリカード９に対し、圧縮された画像ファイルの書き込み、或いは読み込みを行う。
【００１２】
１１はオートフォーカス（以下、ＡＦと記す）回路であり、フレームメモリ７に記憶された測距領域に対応する画像データに基づいて焦点距離を検出する。
１２はオートエクスポージャー（以下、ＡＥと記す）回路であり、フレームメモリ７に記憶された測光領域に対応する画像データに基づいて被写体輝度を測定し、この測光値から絞り値、露出時間、図示しないストロボを発光させるか否かの露出条件を演算により求める。
１３はオートホワイトバランス（以下、ＡＷＢと記す）回路であり、撮影時のホワイトバランスを自動調整する。
１４は操作部であり、電源ボタン、レリーズボタン、モード切り替えダイヤル等からなる。
１５は表示部であり、再生モードの際に再生画像を表示する他、撮影モードの際には被写体確認用のスルー画像を表示する。
【００１３】
１６は画像特徴抽出回路であり、画像情報の特徴を抽出する。
１７は画素感度算出回路であり、撮像素子２で得られる画像情報の適正な画素毎の感度を算出する。
１８は設定値記録メモリであり、例えば絞り値、シャッタースピード等の露出に関わる設定値や端末情報等を記録する。
１９はＣＰＵであり、撮像装置１００の全体を制御する。
２０は無線通信部であり、画像等の各種データを対向機となる無線端末装置の無線通信デバイスと通信するための制御を行う。
【００１４】
２１はファインダ表示部であり、表示部１５と同様に、各種動作モードの画像を確認する。
２２はファインダ接眼検出部であり、ファインダ表示部２１への接眼の有無、すなわち撮影者がファインダ表示部２１を覗いているか否かを検出する。ファインダ接眼検出部２２は、例えば発光素子（発光部）と受光素子（受光部）から構成されており、検出状態により、表示部１５とファインダ表示部２１の表示切り替えを実施する。具体的には、接眼が検出されている状態ではファインダ表示部２１の表示をオンにし、表示部１５の表示をオフにする。反対に接眼が検出されていない状態ではファインダ表示部２１の表示をオフにし、表示部１５の表示をオンにする。設定等によっては必ずしもこのような排他的な表示とする必要はないが、以下の実施形態では少なくとも接眼の検出結果に応じてファインダ表示部２１のオン／オフが切り替わる設定となっているものとする。
接眼の検出は、撮影者がファインダ表示部２１を覗いているときに、発光素子から放射された光が撮影者の目又は顔等で反射し、所定の範囲の反射光レベルを受光素子により検知することで実現される。ファインダ表示部２１とファインダ接眼検出部２２は、予め撮像装置１００内に構成されている例を示したが、本発明はこれに限定されるものではなく、例えばアクセサリーシューに着脱するファインダでもよい。
【００１５】
図２は、第１の実施形態に係る撮像装置１００の動作を示すフローチャートである。
ステップＳ２０１で、撮影者の操作部１４での操作に応じて、電源ＯＮとなる。
ステップＳ２０２で、ＣＰＵ１９の制御下、撮影者の操作部１４での操作に応じて、対向機となる無線端末装置との間で無線通信部２０を介して無線接続を確立する。本実施形態では、図３に示すように、撮像装置１００で撮影し、その後、撮影モードを継続しながら、撮影した画像データを、対向機となる無線端末装置２００に転送するシステムを例に説明する。本実施形態のシステムは、撮影モードとなると表示部１５又はファインダ表示部２１に撮影された画像（いわゆるライブビュー）を自動的に開始する。対向機となる無線端末装置としては、例えばスマートフォンやタブレット端末等が考えられるが、これに限定されるものではなく、適宜変更可能である。
【００１６】
ステップＳ２１２で、ＣＰＵ１９の制御下、操作部１４に含まれるレリーズボタンが押下されたかどうかを判断する。押下されたと判断した場合はステップＳ２０３に進み、押下されていないと判断した場合は処理を繰り返す。
ステップＳ２０３で、ＣＰＵ１９の制御下、撮影処理を実行し、メモリカード９に撮影画像を記録し、転送対象として設定する。
ステップＳ２０４で、ＣＰＵ１９の制御下、ファインダ接眼検出部２２により、撮影者が接眼しているか否かを検出する。接眼を検出すればステップＳ２０５に進み、接眼を検出しなければステップＳ２０７に進む。
【００１７】
ステップＳ２０５で、ＣＰＵ１９の制御下、ファインダから目を離さないとデータ転送できない旨を撮影者に報知する。報知の形態については後述する。なお、ファインダから目を離さないとデータ転送できないこととしたのは、消費電力の観点からである。ファインダの画素数は従来と比較して高精細になり、それに伴い、ファインダで撮影画像を表示するのに必要とされる電力が増加している。撮影者が接眼した状態で、撮影画像の表示を継続しながら画像データを無線端末装置２００に転送する場合、撮像装置１００の電力供給量が不足し、撮像装置１００の他の動作に影響を及ぼすおそれがある。そこで、本実施形態では、無線通信部２０によるデータ転送とファインダ表示部２１による表示処理が重なることを回避するようにした。
図４に、ステップＳ２０５での報知の例を示す。図４（ａ）は、ファインダ表示部２１にファインダから目を離すことを促す文字ガイダンスを表示することによって報知する例である。図４（ｂ）は、文字ガイダンスに加えて、ファインダ表示部２１の背景色を切り替えることによって報知する例である。また、図４（ｃ）に示すように、不図示のスピーカーから音を発することで、撮影者に報知するようにしてもかまわない。さらに、これらを組み合わせることで、撮影者に報知することも考えられる。
ステップＳ２０６で、ＣＰＵ１９の制御下、ファインダ接眼検出部２２により接眼を検出していない、すなわち撮影者がファインダ表示部２１から目を離したか否かを確認する。撮影者がファインダ表示部２１から目を離していれば報知を停止し、ステップＳ２０７に進む。前述したように、接眼状態でない場合はファインダ表示部２１による撮影画像の表示はオフとなる。
【００１８】
ステップＳ２０７で、ＣＰＵ１９の制御下、データ転送を開始する。本実施形態では、ステップＳ２０３で撮影した画像を含む、転送対象として設定された画像を無線端末装置２００に転送するものとする。
ステップＳ２０８で、ＣＰＵ１９の制御下、ファインダ接眼検出部２２により、撮影者が接眼しているか否かを検出する。接眼を検出すればステップＳ２０９に進み、接眼を検出しなければステップＳ２１０に進む。
ステップＳ２０９で、ＣＰＵ１９の制御下、データ転送を停止し、ステップＳ２１２に戻る。ステップＳ２０９でデータ転送を途中で停止した場合、次のステップＳ２０７では前回の未転送データから転送を開始する。データ転送を停止した後、接眼状態にあるファインダ表示部２１は撮影画像の表示をオンにする。
【００１９】
ステップＳ２１０で、ＣＰＵ１９の制御下、データ転送が終了したか否かを確認する。データ転送が終了していなければステップＳ２０８に戻り、データ転送を継続しつつ、撮影者が接眼しているか否かを監視する。データ転送が終了していれば報知を終了し、ステップＳ２１１に進む。
ステップＳ２１１で、ＣＰＵ１９の制御下、撮影者の操作部１４での操作により電源ＯＦＦとされたか否かを確認する。電源ＯＦＦでなければステップＳ２１２に戻り、電源ＯＦＦであれば本動作を終了する。
以上説明したように、ファインダ接眼検出部２２の状態により各種データの転送等無線通信を制御することで、安定した電力供給量を確保し、撮像装置の他の動作への影響を低減することができる。
【００２０】
（第２の実施形態）
次に、図５、図６を参照して、第２の実施形態を説明する。撮像装置の基本的な構成は第１の実施形態と同じであり、以下では、第１の実施形態との差異を詳細に述べる。
本実施形態では、無線通信部２０でデータ転送中に、ファインダ接眼検出部２２と操作部１４の状態で、撮像装置の制御を切り替えることにより、撮影者の利便性を向上させることを目的としている。
【００２１】
図５は、第２の実施形態に係る撮像装置１００の動作を示すフローチャートである。第１の実施形態の図２で説明した処理と同様の処理には同一の符号を付し、その説明は省略する。
データ転送の開始（ステップＳ２０７）後、ステップＳ２０８で、ＣＰＵ１９の制御下、ファインダ接眼検出部２２により、撮影者が接眼しているか否かを検出する。接眼を検出すればステップＳ５０１に進み、接眼を検出しなければステップＳ２１０に進む。
ステップＳ５０１で、ＣＰＵ１９の制御下、撮影動作を行わせる操作がなされたか、すなわちレリーズボタンが押されたかを確認する。レリーズボタンが押された場合、ステップＳ２０９に進み、転送を停止した後ステップＳ２０３に進む。レリーズボタン以外の操作がなされた場合や、操作がなされなかった場合、ステップＳ５０２に進む。
【００２２】
ステップＳ５０２で、ＣＰＵ１９の制御下、データ転送中であるためファインダ表示できない旨を撮影者に報知し、その後ステップＳ２１０に進む。
図６に、ステップＳ５０２での報知の例を示す。図６（ａ）は、ファインダ表示部２１にファインダ表示できない旨を文字で表示することによって報知する例である。図６（ｂ）は、文字を表示することに追加して、ファインダ表示部２１の背景色を切り替えることによって報知する例である。また、第１の実施形態で図４（ｃ）に示したように、不図示のスピーカーから音を発することで、撮影者に報知するようにしてもかまわない。さらに、これらを組み合わせることで、撮影者に報知することも考えられる。
以上説明したように、ファインダ接眼検出部２２と操作部１４の状態により撮像装置の制御を切り替えることにより、撮影者の利便性を向上させることさせることが可能となる。
【００２３】
（第３の実施形態）
次に、図７、図８を参照して、第３の実施形態を説明する。撮像装置の基本的な構成は第１の実施形態と同じであり、以下では、第１の実施形態との差異を詳細に述べる。
本実施形態では、データ転送中に報知画面を表示した後に、データ転送が終了した際の動作モードを撮影者に選択させることにより、撮影者の意図した動作モードに変更可能とすることを目的としている。
【００２４】
図７は、第３の実施形態に係る撮像装置１００の動作を示すフローチャートである。第１の実施形態の図２、第２の実施形態の図５で説明した処理と同様の処理には同一の符号を付し、その説明は省略する。
データ転送の終了（ステップＳ２１０）後、ステップＳ７０１で、ＣＰＵ１９の制御下、表示部１５又はファインダ表示部２１に、動作モードを選択させる動作モード選択画面を表示する。例えば図８に示すように、動作モードとして、撮影モード、電源ＯＦＦを選択できるようにする。ただし、表示される動作モードはこれに限定されるものではない。例えば撮影した画像を閲覧するモードや、各種メンテナンスをするモードが例として挙げられる。
ステップＳ７０２で、ＣＰＵ１９の制御下、撮影者が選択した動作モードに従って、撮影モードが選択されていればステップＳ２１２に進み、電源ＯＦＦが選択されていればステップＳ２１１に進む。
以上説明したように、データ転送が終了した際の動作モードを撮影者に選択させることにより、撮影者の意図した動作モードに変更可能となる。
【００２５】
（第４の実施形態）
次に、図９、図１０を参照して、第４の実施形態を説明する。撮像装置の基本的な構成は第１の実施形態と同じであり、以下では、第１の実施形態との差異を詳細に述べる。
本実施形態では、データ転送の対象となる撮影した画像を規定時間だけ表示部１５に表示しておき、削除したい場合は削除できるように構成にすることで、撮影した画像の中で必要な画像データだけを転送できるようにすることを目的としている。
【００２６】
図９は、第４の実施形態に係る撮像装置１００の動作を示すフローチャートである。第１の実施形態の図２で説明した処理と同様の処理には同一の符号を付し、その説明は省略する。
ステップＳ２０６において撮影者がファインダから目を離した場合、データ転送を開始するが、それに先立って、ステップＳ９０１で、ＣＰＵ１９の制御下、ステップＳ２０３において撮影した画像を表示部１５に表示する。
続いて、ステップＳ９０２で、ＣＰＵ１９の制御下、規定時間内に、撮影者により、撮影した画像を削除する操作が行われたか否かを確認する。規定時間内に削除する操作が行われれば、表示部１５に表示している画像を消去し、ステップＳ２０３に戻る。規定時間内に削除する操作が行われなければ、ステップＳ２０７に進み、データ転送を開始する。
【００２７】
削除する操作としては、例えば操作部１４に設けられている削除釦を押下する例がある。また、図１０に示すように、表示部１５が不図示のタッチパネルと共に構成されており、撮影者が削除釦に該当する領域を押下する例が考えられるが、これらに限定されるものではない。図１０（ａ）は、表示部１５に削除釦１００１に該当する領域を表示する例である。図１０（ｂ）は、削除釦１００１と共にデータ転送開始までの時間を表示する例である。図１０（ｃ）は、削除釦１００１と共に転送開始釦１００２に該当する領域を表示する例である。
以上説明したように、撮影した画像を規定時間だけ表示部１５に表示しておき、削除したい場合は削除できるように構成にすることで、撮影した画像の中で必要な画像データだけを転送することが可能となる。
【００２８】
（その他の実施形態）
以上、本発明の好ましい実施形態について説明したが、本発明はこれらの実施形態に限定されず、その要旨の範囲内で種々の変形及び変更が可能である。
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００２９】
２：撮像素子、１４：操作部、１９：ＣＰＵ、２０：無線通信部、２１：ファインダ表示部、２２：ファインダ接眼検出部、１００：撮像装置、２００：無線端末装置
【図１】
0006403511.tif 000002
【図２】
0006403511.tif 000003
【図３】
0006403511.tif 000004
【図４】
0006403511.tif 000005
【図５】
0006403511.tif 000006
【図６】
0006403511.tif 000007
【図７】
0006403511.tif 000008
【図８】
0006403511.tif 000009
【図９】
0006403511.tif 000010
【図１０】
0006403511.tif 000011